(57)【要約】      （修正有）【課題】走行時の馬体の上下で、この保持具が競走馬の背中を叩き余分な刺激を与えることが無いようにする。一方で、競走馬の背中の胴周り方向の湾曲には良く馴染み、競走馬に違和感を与えないようにするＩＣタグ保持の為の競走馬識別素子保持具を提供する。【解決手段】保持具は、ＩＣタグ２４を収容するポケット部材１６ａと芯材１２とを有する。芯材１２は布１４で包まれ、縫い付けられて、主体部１５とされている。ポケット部材１６ａは、この主体部１５に縫い付けられている。芯材１２は、所要の腰の強さが有るプラスチックシート等で形成される。これにより競走馬の背骨方向については所要の腰の強さが確保される。また、この芯材１２には競走馬の背骨方向にスリット３８が形成されている。このスリット３８の存在で、芯材の胴周り方向の断面は小さくなる。これにより、この方向の芯材１２の腰は弱くなり上記胴周り方向の湾曲に良く馴染むようになる。【選択図】図２
0003175993.tif 000002
【実用新案登録請求の範囲】
【請求項１】
識別素子を収容するポケット部材と芯材とを有し、
前記ポケット部材は、前記芯材を包む腰の無い素材を介して、又は直に、前記芯材に支承されており、
前記芯材は、所要の腰の強さを有するシート状素材で形成されており、スリット又は切り目が競走馬の背骨方向に形成されている
ことを特徴とする競走馬識別素子保持具。
【請求項２】
前記スリット又は切り目が、競走馬の背骨方向に複数本形成されている
ことを特徴とする請求項１に記載の競走馬識別素子保持具。
【考案の詳細な説明】
【技術分野】
【０００１】
本考案は競走馬識別素子保持具に関し、詳しくは、競走馬調教用ゼッケンに取着される競走馬識別素子保持具に関する。
【背景技術】
【０００２】
日本中央競馬会には美浦と栗東にトレーニングセンターがある。美浦トレーニングセンターには約７０００頭の競走馬が所属し、栗東トレーニングセンターには８０００〜９０００頭の競走馬が所属している。これら競走馬には、ほぼ毎日調教が実施される。
調教の際には競走馬調教用ゼッケンが取付けられる（特許文献１、符号３。特許文献２、符号１１）。その馬尾側には馬体装着具が取着される（特許文献１、符号５）。これに記録シートが保持されている（特許文献１、符号１０）（以下、「競走馬調教用ゼッケン」は、適宜「ゼッケン」と言う）。
記録シート１０にはバーコードが印刷されている。スタート、ゴール等でこのバーコードが読み取られ、調教タイムが計測される。
【０００３】
計測は、より正確であることが望まれる。そこで、バーコードに代え、ＩＣタグ（ＲＦタグ、電子タグ）を使用する計画が進められている。このＩＣタグを馬体に装着する為、競走馬識別素子保持具が使用される（以下、「競走馬識別素子保持具」は、適宜「保持具」と言う。）。
ゼッケンには、従来の馬体装着具５を係合するため、元々、面ファスナー２２，２３が備えられている（特許文献２）。従って、この保持具にも面ファスナーが配置され、これが前記面ファスナー２２，２３に係合されてゼッケンの馬尾側に支承される。こうすれば、ゼッケンの構造を変えずに済む。
【０００４】
ここで、ＩＣタグは小さい。このため、上記保持具は、縦１２ｃｍ、横１４ｃｍぐらいの大きさとされる。ここで縦とは競走馬の背骨の方向、横とは競走馬の胴周りの方向を謂う（以下、「競走馬の背骨の方向」、「競走馬の胴周りの方向」は、適宜「背骨方向」、「胴周り方向」と言う）。
この保持具の馬首側に面ファスナーが配置され、これがゼッケンの面ファスナー２２，２３と係合される。これにより、保持具は片持ち状態でゼッケンに支承され、馬尾側に６〜７ｃｍ延伸された状態となる。
【０００５】
競走馬の背中には、通常１５ｍｍ程度のスポンジシートが被せられ、その上にゼッケンが被せられている。これに、前述のとおり保持具が支承される。それ故、保持具は、競走馬の背中から少し上方に離間された状態でゼッケンに支承される。
この状態は、計測精度を向上させる点では都合が良い。馬体からも離間しており、騎手のお尻からも離間していて、ＩＣタグの感度が高くなるからである。
【先行技術文献】
【特許文献】
【０００６】
【特許文献１】実開平６−１３４５８
【特許文献２】特開２００５−１６４７６３
【考案の概要】
【考案が解決しようとする課題】
【０００７】
しかし、上記支承状態である場合、保持具には或る程度の腰の強さ（剛性）が必要になる。腰が無いと、自由端となっている保持具の馬尾側が、競走馬の走行で上下に踊り、競走馬の背を繰り返し叩いてしまうからである。こういう状態は競走馬に要らぬ刺激を与えるものであり、好ましくない。
一方で、保持具を剛直にしてしまっては、恰も硬い板を背中に背負った如くとなり、これも又競走馬に違和感を与える。
【０００８】
尤も、保持具は背中から或る程度浮いている。従って、背骨方向についてはこのように剛直でも構わない。しかし、競走馬の背中は曲面を描いている。特に胴周り方向について、その傾向が強い。勿論背骨方向も湾曲しているが、その度合は小さい。それ故、少なくともこの胴周り方向について剛直では、競走馬の背中に保持具が馴染まない。それでは競走馬に違和感を与える。
それ故、保持具の素材の腰の強さをどの程度にしたら良いか、頭を悩ますところである。
【０００９】
本考案の目的は、このような、二律背反の課題を解決することにある。
【課題を解決するための手段】
【００１０】
上記課題解決のため請求項１の競走馬識別素子保持具では、識別素子を収容するポケット部材と芯材とを有し、前記ポケット部材は、前記芯材を包む腰の無い素材を介して、又は直に（じかに）、前記芯材に支承されており、前記芯材は、所要の腰の強さを有するシート状素材で形成されており、スリット又は切り目が競走馬の背骨方向に形成されている。
また、請求項１を引用する請求項２の競走馬識別素子保持具では、前記スリット又は切り目が、競走馬の背骨方向に複数本形成されている。
【考案の効果】
【００１１】
上記保持具は所要の腰の強さが有る芯材を備える。これによって、保持具は、背骨方向については、この芯材の腰の強さが生かされる。馬体の上下があっても保持具の自由端が競走馬の背を叩くことは無い。
一方で上記芯材には背骨方向にスリットが形成されている。スリットが有る結果、胴周り方向については、この芯材の断面積が小さくなる。それ故、この胴周り方向については芯材の腰が弱くなる。これにより、保持具は競走馬の背中の曲面に良く馴染む。
【００１２】
この場合、芯材の厚みや素材を選択することで、背骨方向の腰を所要の強さにすることが出来る。一方で、スリットの長さや、胴周り方向或いは背骨方向のスリットの本数を調整することで、芯材の胴周り方向の腰を十分に弱くすることが出来る。
【００１３】
更に、個々の競走馬の体型或いは保持具の位置によって、保持具は、胴周り方向について僅かに上向き或いは下向きに湾曲する。即ち浅い樋状か、或いは低い蒲鉾状になる。この結果、背骨方向については断面係数が大きくなり腰が一層強くなる。
尤も、水平になる場合もある。この場合は、上記した芯材の厚みや素材を、より腰の強いものとする。その代わり、スリットの長さを増したり本数を増やしたりして、胴周り方向の芯材の断面積を減らし、胴周り方向の腰を弱める。
【図面の簡単な説明】
【００１４】
【図１】本考案の実施の形態の一例である競走馬識別素子保持具を示す斜視図。
【図２】図１の競走馬識別素子保持具のＡ−Ａ線断面図。
【図３】図１の競走馬識別素子保持具のＢ−Ｂ線断面図。
【図４】図１の競走馬識別素子保持具に内蔵される芯材の一例を示す平面図。
【図５】図１の競走馬識別素子保持具に内蔵される芯材の他の例を示す平面図。
【図６】図１の競走馬識別素子保持具にＩＣタグと馬名札を収容した状態を示す平面図。
【図７】図１の競走馬識別素子保持具を競走馬調教用ゼッケンに取付けるときの状態を示す斜視図。
【図８】図１の競走馬識別素子保持具を連結した競走馬調教用ゼッケンを競走馬に取付けた状態を示す正面図。競走馬識別素子保持具、競走馬調教用ゼッケン、スポンジシートは破断されている。
【図９】図８に示す競走馬調教用ゼッケン、スポンジシート及び競走馬のＣ−Ｃ線断面図。
【図１０】図１の競走馬識別素子保持具を競走馬に取付けた状態で変形している芯材の斜視図。
【図１１】競走馬識別素子保持具の主体部１５の製作手順の一例を示すもので、縦長の布１４の上に芯材１２を置いた状態を示す斜視図。
【図１２】競走馬識別素子保持具の主体部１５の製作手順の一例を示すもので、布１４の両側を立てた状態を示す斜視図。
【図１３】競走馬識別素子保持具の主体部１５の製作手順の一例を示すもので、布１４の両側を内側に折り畳んだ状態を示す斜視図。
【図１４】競走馬識別素子保持具の主体部１５の製作手順の一例を示すもので、布１４の馬首側の端と馬尾側の端とを内側に折曲げ、芯材１２の馬首側の端を峰として山折りして布の馬首側半分を立てた状態を示す斜視図。
【図１５】競走馬識別素子保持具の主体部１５の製作手順の一例を示すもので、布１４の馬首側の端と馬尾側の端とを内側に畳み込んだ状態を示す斜視図。
【図１６】競走馬識別素子保持具の主体部１５の製作手順の一例を示すもので、布１４の馬首側半分を馬尾側半分の上に重ねた状態を示す斜視図。
【考案を実施するための形態】
【００１５】
以下、本考案の詳細を図示実施の形態例に基づいて説明する。図１に、実施の形態例の一つである競走馬識別素子保持具１０を示す。図２に、この保持具１０のＡ−Ａ線断面を示す。図３に、この保持具１０のＢ−Ｂ線断面を示す。図４に、この保持具１０に内蔵された芯材１２の平面を示す。図５に、芯材の他の例４０の平面を示す。図６に、図１の保持具１０のポケット部材１６ａ，１６ｂにＩＣタグ２４と馬名札２６とを入れた状態の平面を示す。ＩＣタグ２４は請求項に謂う識別素子に当る。
【００１６】
図２並びに図３に示すように、保持具１０は主体部１５を有する。この主体部１５は、芯材１２（図４）と、この芯材１２を包み込む布１４とから成り、外縁が縫い付けられている（ミシン目は表示せず。）。布１４が請求項に謂う腰の無い素材に当る。
このうち、芯材１２は、例えば合成樹脂のシートを素材とし、所要の腰（剛性）が有る。この合成樹脂のシートが、請求項に謂う「所要の腰の強さを有するシート状素材」に当る。芯材１２は縦横は約１２ｃｍ×１４ｃｍで、厚みは１ミリ弱である（図２、図３、図１１〜図１３）。但し、この大きさ、厚みに限るものではない。
【００１７】
図４に示すように、芯材１２には背骨方向にスリット３８が形成されている。スリット３８は、胴周り方向に３列形成されている。各列は、背骨方向に少し間隔を置いた３本のスリットから成る。
なお、図４では  スリット３８を胴周り方向にやや幅のあるものとしたが、幅の無い単なる切れ目にするのも良い。また、スリット３８は３列に限るものではなく、各列の本数も３本に限るものではない。これらは、芯材１２の背骨方向の腰が所望の強さになるように、そして、胴周り方向の腰が所望の弱さになるように、その長さ、位置、列の数、一つの列の本数などを定める。勿論、素材の種類、厚さも必要に応じて変える。
【００１８】
芯材１２の他の例を図５に示す。図４の芯材１２のスリット３８は各列に複数本形成されていたが、図５に示す芯材４０では、スリット４２は、各列に１本の長いスリットとされている。
【００１９】
以上説明したような芯材１２が布１４で包み込まれ縫い付けられる。これにより主体部１５は、縦横が芯材１２より僅かに大きく、厚みは２〜３ミリとなる。これも、この大きさには限られない。なお、ここで「縦」とは背骨方向であり、図の上が馬首側、下が馬尾側となる。
【００２０】
主体部１５の製作手順例を図１１〜図１６に示す。各図の左上方向が馬首側、各図の右下方向が馬尾側である。馬首と馬尾を通る方向が背骨方向となる。
即ち、縦長の布１４の上に芯材１２を置く（図１１）。このとき、芯材は、各スリット３８が背骨方向に並ぶように置く。次いで、布１４の両側を立てる（図１２）。その状態から、布１４の両側を内側に折り畳む（図１３）。このとき布１４の馬尾側半分は、芯材１２の両側を包む込む。
【００２１】
次いで、布１４の馬首側の端と馬尾側の端とを内側に折曲げる（図１４）。更に、芯材１２の馬首側の端を峰として山折りし、布の馬首側半分を立てる（図１４）。その状態から、布１４の馬首側の端と馬尾側の端を内側に畳み込む（図１５）。これにより、布１４の馬尾側は、芯材１２の馬尾側を包み込む。
次いで、布１４の馬首側半分を馬尾側半分の上に重ねる（図１６）。そして周囲をミシンで縫い付ける。なお、このミシン目は図示していない。また、１７は布１４の折り込まれた部分を表す。
【００２２】
なお、図１１〜図１６に示される芯材１２と、図２、図３に示される芯材１２は同じものである。しかし、両者は幅と厚みの比率が違っている（プロポーションが違っている）。図１１〜図１６に示されているのが、実施の形態例の芯材１２の本来の比率である。
即ち、図２、図３では、この芯材１２を始めとする保持具１０の各部断面が、縦方向にだけ引き伸ばされている（デフォルメされている）。断面を判り易くする為である。
【００２３】
また、この図２、図３では、布１４の折り込まれた部分１７（図１６）は図示していない。それに、布１４は、本来は馬首側の半分が、芯材１２や、その上の折り込まれた部分１７の上に重ねられている（図１６）。従って、本来は断面が連続しない。しかし、これも判り易くするため、布１４の断面は継ぎ目無しで表現している。
【００２４】
次に、図２に示すように、主体部１５には、馬尾側の左右に分けて、ポケット部材１６ａ，１６ｂが縫い付けられている（図１並びに図２）。各ポケット部材１６ａ，１６ｂの背骨方向の長さは、主体部１５の約６０％である。但し、これに限るものではない。
各ポケット部材１６ａ，１６ｂは、下側の基部１８と上側の窓部２０とを有する。窓部２０は四角形で、透明でやや柔軟な素材から成る。窓部２０の三辺は下側の基部１８に融着されている。
【００２５】
この構造により、各ポケット部材１６ａ，１６ｂには、窓部２０と基部１８との間に収容空間２２ａ、２２ｂが形成される。四角形の窓部２０の夫々の一辺は開口部とされており、ここから、一方の収容空間２２ａにＩＣタグ２４が収容され、他方の収容空間２２ｂに馬名札２６が収容される。
各ポケット部材１６ａ，１６ｂの基部１８は、収容空間２２ａ、２２ｂの開口部の位置より外側に延伸されており、その外側への延長部が蓋部２８とされている。
【００２６】
この蓋部２８を含め、ポケット部材１６ａ，１６ｂの馬首側、馬尾側にはバイアステープが被せられ、縫い付けられている（不図示）。これで各ポケット部材１６ａ，１６ｂの周縁が補強されている。
蓋部２８には面フアスナー３０が縫い付けられている。これに対応して、窓部２０には面フアスナー３２が縫い付けられている。面ファスナー３０と面フアスナー３２は、一方がオス、他方がメスであり、面フアスナー３０を面フアスナー３２に係合することで、収容空間２２ａ，２２ｂが閉鎖される。
また、図１、図３に示すように、主体部１５の馬首側には、その表側に面フアスナー３４、裏側に面フアスナー３６が、夫々縫い付けられている。
【００２７】
収容空間２２ａ内にＩＣタグ２４を収容し、収容空間２２ｂ内に馬名札２６を収容して、蓋部２８で収容空間２２ａ、２２ｂを閉じた状態の保持具１０の平面図を図６に示す。
この状態の保持具１０をゼッケンに取付ける作業を図７に基づいて説明する。図７は、ゼッケン４４の裏面を示している。このゼッケン４４の裏面には、馬尾側の端縁に近く、面フアスナー４６と面フアスナー４８とが胴周り方向に縫付けられている。
【００２８】
そして、保持具１０の面フアスナー３４が、このゼッケンの面フアスナー４８に係合される。また、保持具１０の面フアスナー３６が、このゼッケンの面フアスナー４６に係合される。これで、保持具１０はゼッケン４４にしっかり支承される。
ゼッケン４４が競走馬に装着された状態では、保持具１０の２つの透明の窓部２０は、上方に向く。透明の窓部２０を通して、収容空間２２ａ，２２ｂにＩＣタグ２４や馬名札２６が収容されているかを確認することができる。
【００２９】
なお、上記説明では、ＩＣタグ２４と馬名札２６を収容空間２２ａ，２２ｂ内に収容してから保持具１０をゼッケン４４に取付けるとした。保持具１０を先にゼッケン４４に取付けてから、収容空間２２ａ，２２ｂ内にＩＣタグ２４と馬名札２６を収容するようにしても良いこと、言うまでもない。
【００３０】
保持具１０を支承したゼッケン４４が競走馬に装着された状態を図８並びに図９に示す。競走馬５０の背中には、先ずスポンジシート５２が被せられる。このスポンジシート５２は、ゼッケン４４より一回り面積が小さく厚さ約１５ｍｍである。その上にゼッケン４４が被せられる。このとき保持具１０はゼッケン４４の馬尾側に位置する。
芯材１２は背骨方向について、所要の腰の強さがある。従って、保持具１０は、馬尾に向ってほぼ水平に延びる。競走馬５０の背中との間には、ほぼスポンジシートの厚み（１５ミリ）に近い間隔が保たれる。馬体が上下してもその都度保持具１０が競走馬５０の背中を叩くことは無い。
【００３１】
一方で、芯材１２は背骨方向にスリットが形成されている。従って、胴周り方向については腰が弱い。それ故、競走馬５０の背中の曲面に良く馴染む。これにより、背中に硬い板が載せられているような違和感を競走馬に与えることがない。
即ち、図９に示すように、競走馬５０の背中のうち、保持具１０が位置する部分は、一般に、その背骨の上の部分が、左右の背筋（はいきん）の上の部分より少し窪んでいる（背骨方向に於ける保持具１０の位置によってはそうならない場合もある。又、そうでない体型もある。なお、図９は、凹凸を強調している。）
【００３２】
図４や図５に示すように、芯材１２には、複数本のスリット３８或いは４０が背骨方向に形成されている。これにより芯材１２の胴周り方向の断面積が減る。従って、胴周り方向については腰が弱くなる。
この結果、芯材１２は、胴周り方向について、例えば図１０に示すように簡単に湾曲し、浅い樋状になる。なお、湾曲は強調しているし、競走馬の体型によっては水平になったり、逆に低い蒲鉾状になったりする。
この結果、保持具１０は競走馬５０の胴周り方向の曲面に十分馴染み、競走馬５０に違和感を与えない。
【００３３】
なお、芯材１２が樋状又は蒲鉾状になるときは断面係数が大きくなる。従って、背骨方向について、保持具１０の腰が一層強くなる。
尤も、水平になる場合もある。この場合は、上記した芯材１２の厚みや素材を、より腰の強いものとする。その代わり、スリット３８又は４０の長さを増したり、スリット３８の背骨方向に並ぶ本数を増やしたりして、胴周り方向の芯材の断面積を減らし、胴周り方向の腰を弱くする。
【００３４】
なお、実施の形態例では、芯材１２を布１４で包んだ。布１４を使わず、芯材１２にポケット部材１６ａ，１６ｂを直に取着しても良い。ただ、実施の形態例のように布１４で包むと、芯材の色や質感等に制約されなくなり、腰の強弱が最適の素材で芯材１２を形成することが出来る。布１４の色、柄、質感なども自由に選べる。
また、芯材１２は１枚でなくとも良い。複数枚のシート状素材を重ねて芯材としても良い。この場合、そのシート状素材の複数枚の全部に、スリット又は切り目が形成されていなくても良い。
また、そのシート状素材の複数枚の夫々で、スリット又は切り目の位置が違っていても良い。
また、実施の形態例の保持具１０では、ＩＣタグ２４を収容する収容空間２２ａと馬名札２６を収容する収容空間２２ｂとを設けた。しかし、少なくともＩＣタグ２４を収容する収容空間２２ａが有れば良い。
【符号の説明】
【００３５】
１０  競走馬識別素子保持具
１２  芯材
１４  布
１５  主体部
２２ａ  収容空間
３８  スリット
４０  スリット
４４  競走馬調教用ゼッケン
【図１】
0003175993.tif 000003
【図２】
0003175993.tif 000004
【図３】
0003175993.tif 000005
【図４】
0003175993.tif 000006
【図５】
0003175993.tif 000007
【図６】
0003175993.tif 000008
【図７】
0003175993.tif 000009
【図８】
0003175993.tif 000010
【図９】
0003175993.tif 000011
【図１０】
0003175993.tif 000012
【図１１】
0003175993.tif 000013
【図１２】
0003175993.tif 000014
【図１３】
0003175993.tif 000015
【図１４】
0003175993.tif 000016
【図１５】
0003175993.tif 000017
【図１６】
0003175993.tif 000018